(57)【特許請求の範囲】
【請求項１】
筐体の一端面にディスクの装填或いは排出を行うために開口したディスク挿入口が設けられ、前記ディスク挿入口を遮蔽するよう前記開口部分よりも大きい防塵シートを備えたディスクドライブ装置において、
前記防塵シートは、少なくとも１つ以上形成され装填或いは排出される前記ディスクの内周側に対して配置密度が高く形成され前記ディスクの外周側に対して配置密度が低く形成され前記ディスク挿入口の前記開口部分に対向する領域以外の位置に形成された切欠部を有することを特徴とするディスクドライブ装置の防塵機構。
【請求項２】
筐体の一端面にディスクの装填或いは排出を行うために開口したディスク挿入口が設けられ、前記ディスク挿入口を遮蔽するよう前記開口部分よりも大きい防塵シートを備えたディスクドライブ装置において、
前記防塵シートは、少なくとも１つ以上形成され装填或いは排出される前記ディスクの内周側に対して開口面積が広く形成され前記ディスクの外周側に対して開口面積が狭く形成され前記ディスク挿入口の前記開口部分に対向する領域以外の位置に形成された開口部を有することを特徴とするディスクドライブ装置の防塵機構。
【請求項３】
筐体の一端面にディスクの装填或いは排出を行うために開口したディスク挿入口が設けられ、前記ディスク挿入口を遮蔽するよう前記開口部分よりも大きい防塵シートを備えたディスクドライブ装置において、
前記防塵シートは、装填或いは排出する際に通過される前記ディスクの直径よりも長いスリットと、少なくとも１つ以上形成され前記スリットからの距離が前記ディスクの外周側よりも内周側に対して長い位置に形成され前記ディスク挿入口の前記開口部分に対向する領域以外の位置に形成された切欠部とを有することを特徴とするディスクドライブ装置の防塵機構。
【発明の詳細な説明】
【０００１】
【発明の属する技術分野】
本発明は、ディスクに情報を記録または再生するディスクドライブ装置に関し、特に、その防塵機構に関する。
【０００２】
【従来の技術】
従来、コンパクトディスク等のディスクにデータを記録または再生するディスクドライブ装置におけるディスクの装填、排出を行うローディング構造として、例えば、ディスクドライブ装置の前面板（フロントベゼル）にディスクを挿入するための挿入口を設けると共に、その挿入口の内側にディスクを挟んで回転する駆動ローラを配置し、その駆動ローラの回転力によってディスクを搬送するものがある。このような構造は一般にスロットイン方式のローディング機構と呼ばれ、トレイ等の大きな部品が不要であるため、特に車載用ディスクプレーヤ等で良く用いられている。
【０００３】
このようなローディング構造では、挿入口から埃等が侵入してデータの記録・再生に影響を与えないように、防塵を主目的とした弾性シートが設けられている。この弾性シートは、例えばフロントベゼルの挿入口の内側に設けられ、その挿入口を挟んで上下部分にそれぞれ固定部材によって固定されている（上側固定部、下側固定部）。そして、この挿入口をディスクが通過する際に、弾性シートは上側固定部と下側固定部を支点に回動に近い形で弾性的に屈曲変形して開くようになっており、ディスクは弾性シートと線接触状態で通過する。また、ディスク通過後には、屈曲変形した弾性シートは上側固定部と下側固定部を支点に回動に近い形で元の状態に復帰して閉じるようになっていた。
【０００４】
【発明が解決しようとする課題】
このように従来のディスクドライブ装置では、ディスク通過時に挿入ディスクが弾性シートに線接触状態で通過するため、その接触部全域でほぼ均等な荷重（等分布荷重）がかかりディスク記録面に摺動傷が付き易く、ディスクにデータを記録再生する際にエラー等が生じてしまうという問題があった。
【０００５】
また、接触幅が最大となるディスクの中心部（内周側）が弾性シートを通過する際のディスク通過口の弾性変形反力が大きく、ディスクに対する摩擦力が最大となるため、ディスクを搬送する駆動ローラに過大負荷を与え搬送の妨げになる等の問題があった。
【０００６】
本発明はこのような課題を解決するためのもので、弾性シートに部分的な開口部を適宜形成して、ディスク通過時の防塵除去とディスク内周側の接触圧を小さくしたディスクドライブ装置の防塵機構を実現することを目的とする。
【０００７】
【課題を解決するための手段】
上記の目的を達成するために、本発明のディスクドライブ装置の防塵機構は、筐体の一端面にディスクの装填或いは排出を行うために開口したディスク挿入口が設けられ、前記ディスク挿入口を遮蔽するよう前記開口部分よりも大きい防塵シートを備えたディスクドライブ装置において、前記防塵シートは、少なくとも１つ以上形成され装填或いは排出される前記ディスクの内周側に対して配置密度が高く形成され前記ディスクの外周側に対して配置密度が低く形成され前記ディスク挿入口の前記開口部分に対向する領域以外の位置に形成された切欠部を有することを特徴とする。
【０００８】
上記の構成により、弾性シートに部分的な開口部を設けることで、弾性シートのディスク接触圧が挿入ディスクの外周側から内周側へ除減され、ディスクの記録面を保護し、ディスクを搬送する駆動ローラの負荷を低減させることができる。
【０００９】
【発明の実施の形態】
以下、本発明を実施する場合の形態について図面に基づき説明する。
図１は、本発明に係る一実施形態のディスクドライブ装置の外観を示す斜視図である。
図１において、符号２０は筐体を示しており、この筐体２０にはその内部にディスクを挿入するため、そのフロントベゼル２にディスク挿入口３が設けられた、いわゆるスロットイン方式のディスクドライブ装置５０が示されている。このようなスロットイン方式のローディング機構では、ディスクを排出する際にディスクの一部がディスクドライブ装置５０から出たときに排出動作を完了して、ディスクがディスク挿入口３から落ちないようにしている。そして、ディスクを取り出す場合には、操作者がディスク挿入口３から突出したディスクを手でつかんでディスク挿入口３から引き出しており、また、そのディスクを再び装填する場合には、手によってディスクをディスク挿入口３に押し込むことで、内部に設けられたスイッチ（不図示）が動作して駆動ローラが回転し、ディスクドライブ装置５０の内部に引き込まれるようになっている。
【００１０】
また、このディスクドライブ装置５０においては、空気中に浮遊するゴミや埃がディスク挿入口３から筐体２０内に侵入して光学ヘッドやディスクに付着し、データの記録再生時のエラーを発生させることを防止するため、フロントベゼル２の内側にディスク挿入口３を閉止する弾性シート（後述する）を設けて筐体２０内の密閉性を持たせている。
【００１１】
図２は、図１のディスクドライブ装置のＡ−Ａの断面図を示し、図３はフロントベゼルの裏面側からみた平面図である。なお、図２、図３はディスクが挿入されていない状態を示している。
【００１２】
図２に示すように、防塵を主目的とした弾性シート４は、フロントベゼル２のディスク挿入口３の奥側（図中右側）に位置し、且つ、図中上下方向に渡って配置されており、例えば不織布シート等により構成されている。フロントベゼル２の裏側（ディスク挿入口３を挟んだ上下位置）には、この弾性シート４を固定するための上部固定部材５と下部固定部材６が取り付けられている。この取り付け方法においては、接着剤を使用してもよく、またネジ等の固定支持部材を使用してもよい。これによって、弾性シート４は上部固定部５および下部固定部６を支点に回動に近い形で動くようになる。なお、ここでは上部固定部材５および下部固定部材６によって固定された弾性シート４の部分を固定端とする。
【００１３】
また、図３に示すように弾性シート４は中央部分にディスク１の直径よりも長いスリット７が形成され、そのスリット７にディスク１を通過させるようになっており、ディスク１の装填中、或いは排出中以外では、弾性シート４の弾力によりスリット７が閉じて外部からゴミや埃が入らないようになっている。
【００１４】
さらに、弾性シート４にはスリット７と上部固定部材５および下部固定部材６に固定された固定端との間に、部分的な開口部８が複数形成され、ディスク１の外周側から内周側にかけて徐々に開口面積を大きくして形成されている。このように開口部８を部分的に適宜形成することで、弾性シート４は開口面積が大きいところほど容易に屈曲変形され、ディスク１の記録面に対する接触圧を小さくすることができる。なお、開口面積を大きくするだけでなく、形成される開口部８の配置密度をディスク１の外周側から内周側にかけて徐々に高くしてもよく、また開口部８はスリット７からの距離（固定端方向に向けて）をディスク１の外周側よりも内周側に対して長い位置に形成してもよい。これにより、弾性シート４のディスク接触圧が挿入ディスク１の外周側から内周側へ徐々に低減できるようになる。
【００１５】
さらに、この開口部８はディスク挿入口３の開口部分にかからない位置、つまり、この開口部分と同じ範囲をもつ弾性シート４の領域以外の位置に設けられている。これは、ディスク挿入口３から侵入するゴミや埃が直接筐体２０内に入ることを防止するためである。
【００１６】
次に、図４はディスクの装填中における図１のＡ−Ａ断面図を示す。図５はディスクがディスク挿入口から弾性シートのスリットを通過した直後の状態をフロントベゼルの裏面側からみた平面図であり、図６はディスクの中心部分が弾性シートのスリットを通過している状態をフロントベゼルの裏面側からみた平面図である。
【００１７】
図４に示すように、ディスク１はディスク挿入口３から挿入され、駆動ローラ１０とガイド軸９によって筐体２０内に搬送されている。そして、弾性シート４は上部固定部５および下部固定部６を支点に図中右方向に弾性的に屈曲変形して開くようになっており、ディスク１の中心部分が弾性シート４と線接触状態となっている。なお、弾性シート４が屈曲変形してディスク１と線接触しているところは、ほぼ等分布荷重となっている。
【００１８】
ディスク１がスリット７を通過する過程をみてみると（図５及び図６参照）、スリット７の中心が徐々に開口が広がっていき、ディスク１の中心部分を通り過ぎるとき開口幅が最も広がった状態となっている。したがって、通常、ディスク１の外周側でスリット７との接触圧が最小となり、ディスク１の内周側（特に、ディスク中心部分）で接触圧が最大となる。このように、ディスク１がスリット７を通過するため、ディスク１の中心部分でディスク１に対しての弾性シート４の屈曲反力による負荷が大きくなり、ディスク記録面への摺動傷が付き易く、さらに、駆動ローラ１０に対しても過大負荷を与え搬送の妨げとなってしまう。
【００１９】
そこで本発明は、上述したように、弾性シート４に部分的に開口部８を適宜形成する。そうすることで、弾性シート４の接触圧がディスク１の外周側から内周側へ徐々に減少するように、ディスク１がどの挿入状態でも、常に接触圧をディスク１の外周側よりも内周側を小さくすることができ、結果的に、ディスク記録面への摺動傷や駆動ローラ１０に与える過大負荷を低減し、安定したローディング動作を実現することができる。
【００２０】
なお、本発明は、上記実施形態に限定されるものではなく、実施段階では、その要旨を逸脱しない範囲で種々に変形することが可能である。例えば、部分的な開口部８の形状は四角形状を使用したが、丸形状、三角形状等でもよく、開口面積が開口密度を弾性シート４の個所によって変えることで、ディスクへの接触圧の除変を実現させる形状であれば何でもよい。また、図７に示すように、ディスクの外周側から内周側に沿って弾性シート４の厚みを変えることで、ディスクの外周側に対する接触圧を大きくし、内周側に対する接触圧を小さくするようにしても同様の効果が得られる。さらに、実施形態ではディスクの装填について記載したが、ディスクの排出においても同様の効果が得られる。
【００２１】
【発明の効果】
以上のように、ディスクの中心部分において弾性シートの接触圧が最大となるため、この弾性シートに部分的に開口部を設けて弾性シートが屈曲変形しやすくさせて、ディスクの内周側に対する接触圧を小さくすることができ、ディスク記録面における摺動傷や駆動ローラに与えられる過大負荷を低減することができ、安定したローディング動作を実現することができる。
【図面の簡単な説明】
【図１】  本発明に係る一実施形態のディスクドライブ装置の外観を示す斜視図である。
【図２】  図１のディスクドライブ装置のＡ−Ａの断面図である。
【図３】  フロントベゼルの裏面側からみた平面図である。
【図４】  ディスクの装填中における図１のＡ−Ａ断面図である。
【図５】  ディスクがディスク挿入口から弾性シートのスリットを通過した直後の状態をフロントベゼルの裏面側からみた平面図である。
【図６】  ディスクの中心部分が弾性シートのスリットを通過している状態をフロントベゼルの裏面側からみた平面図である。
【図７】  本発明に係る別の実施形態の弾性シートを示し、フロントベゼルの上側からみた図である。
【符号の説明】
１    ディスク
２    フロントベゼル
３    ディスク挿入口
４    弾性シート
５    上側固定部材
６    下側固定部材
７    スリット
８    開口部
９    ガイド軸
１０    駆動ローラ
２０    筐体
５０    ディスクドライブ装置
【図１】
0003982802.tif 000002
【図２】
0003982802.tif 000003
【図３】
0003982802.tif 000004
【図４】
0003982802.tif 000005
【図５】
0003982802.tif 000006
【図６】
0003982802.tif 000007
【図７】
0003982802.tif 000008